(57)【要約】【課題】  報知音により暖房運転のオンオフ及び暖房能力の変更が容易に認識できる電気ストーブを提供する。【解決手段】発熱体２による暖房運転のオンオフ及び暖房能力を複数段階設定できる調節つまみ１６を操作して次の暖房能力に設定した時、調節つまみ１６を操作する前の暖房能力を表す報知音を出力し、その所定時間後に次の暖房能力を表す報知音を出力するので、調節つまみ１６を操作する前の暖房能力から次の暖房能力まで暖房能力が上がったことを２つの音を聞くことで容易に認識することが出来、又最初の音が出力された後、その所定時間経過後に次の音が出力されることにより２つの音を１つの音に聞き間違えるのを防止して２つの音として認識できるものである。【選択図】  図５
2013061101.tif 000002
【特許請求の範囲】
【請求項１】
発熱体と、該発熱体による暖房運転のオンオフ及び暖房能力を複数段階設定できる調節つまみと、該調節つまみの操作に対応して報知音を出力する報知部と、前記調節つまみの操作に対応して発熱体の発熱を制御すると共に報知音を報知部から出力させる制御部とを備えた電気ストーブに於いて、前記制御部は調節つまみを操作して次の暖房能力に設定した時、調節つまみを操作する前の暖房能力を表す報知音を出力し、その所定時間後に次の暖房能力を表す報知音を出力することを特徴とする電気ストーブ。
【請求項２】
前記制御部は、調節つまみを操作して複数段階暖房能力を変更した時、調節つまみを操作する前の暖房能力を表す報知音を出力し、その所定時間後に次の暖房能力を表す報知音を出力し、それ以降の暖房能力を表す報知音は、その暖房能力が設定された時に出力することを特徴とする請求項１記載の電気ストーブ。
【請求項３】
前記制御部は、一番低い暖房能力を表す報知音を低音とし、それから暖房能力が高くなる毎に暖房能力を表す報知音を高音にしていくことを特徴とする請求項１又請求項２記載の電気ストーブ。
【請求項４】
前記制御部は、一番低い暖房能力を表す報知音を音階の一番低い音とし、それから暖房能力が高くなる毎に暖房能力を表す報知音を音階を一段ずつ高くしていくことを特徴とする請求項１又は請求項２記載の電気ストーブ。
【請求項５】
前記制御部は、暖房能力を表す報知音を短音とし、暖房運転のオフを表す報知音を一番低い音の長音としたことを特徴とする請求項３又は請求項４記載の電気ストーブ。
【請求項６】
寒色と中間色と暖色を有する表示部を備え、前記制御部は、低い暖房能力から高い暖房能力になるのに対応して低い暖房能力では表示部に寒色のみ表示させ、中間の暖房能力では表示部に寒色と中間色を表示させ、高い暖房能力では表示部に寒色と中間色と暖色を表示させることを特徴とする請求項３又は請求項４又は請求項５記載の電気ストーブ。
【発明の詳細な説明】
【技術分野】
【０００１】
この発明は、回転式のスイッチにより暖房運転のオンオフ及び暖房能力の強弱を調節する電気ストーブに関するものである。
【背景技術】
【０００２】
従来、この種のものにおいて、暖房運転のオンオフ及び暖房能力を１段階の弱運転から１０段階の強運転のいずれかに設定する回転式の運転つまみを備え、運転つまみ１１を操作して暖房能力を変更すると、暖房能力を表示する表示部が寒色のみから寒色と中間色、更に寒色と中間色と暖色となることにより色で暖房能力の大小がわかると共に、点灯する面積も点灯する色が多くなるにつれて大きくなるので、点灯面積からも暖房能力の大小がわかるものがあった。
（例えば、特許文献１参照。）
【０００３】
また加熱手段と、火力設定を入力する入力スイッチと、この入力スイッチの入力信号に基づいて前記加熱手段を制御するとともに火力信号を出力する加熱制御手段と、この加熱制御手段からの火力信号に基づいて、報知信号を出力する報知制御手段と、この報知制御手段からの前記報知信号に基づいて設定された火力を報知音で報知する報知部とを備え、前記報知制御手段は、強、中、弱の火力設定について報知音の周波数を変え音程が異なるようにして報知音を喝らすように制御するものがあった。（例えば、特許文献２参照。）
【先行技術文献】
【特許文献】
【０００４】
【特許文献１】特開２０１０−１２７５８９号公報
【特許文献２】特開２００４−８５１２７号公報
【発明の概要】
【発明が解決しようとする課題】
【０００５】
ところでこの従来のものでは、特許文献１のものに於いては暖房能力を表示する表示部を見ることにより運転つまみにより設定した暖房能力の大小がわかるものの、表示部を見ないで操作したりすると運転つまみにより設定した暖房能力の大小がはっきりわからないものであった。
【０００６】
又、特許文献２のものに於いては、火力設定を入力する入力スイッチにより設定された火力を設定された火力の大小、例えば強、中、弱の火力設定について報知音の周波数を変え音程が異なるようにして報知音を喝らすので、今設定した火力を報知音の音程でわかるものの、各火力に設定された音程を知っていないと、設定した時の報知音だけで、今設定した火力が設定前の火力より大きいのか小さいのかわかりづらいものであった。
【課題を解決するための手段】
【０００７】
上記課題を解決するために、本発明の請求項１では、発熱体と、該発熱体による暖房運転のオンオフ及び暖房能力を複数段階設定できる調節つまみと、該調節つまみの操作に対応して報知音を出力する報知部と、前記調節つまみの操作に対応して発熱体の発熱を制御すると共に報知音を報知部から出力させる制御部とを備えた電気ストーブに於いて、前記制御部は調節つまみを操作して次の暖房能力に設定した時、調節つまみを操作する前の暖房能力を表す報知音を出力し、その所定時間後に次の暖房能力を表す報知音を出力するものである。
【０００８】
また、請求項２では、前記制御部は、調節つまみを操作して複数段階暖房能力を変更した時、調節つまみを操作する前の暖房能力を表す報知音を出力し、その所定時間後に次の暖房能力を表す報知音を出力し、それ以降の暖房能力を表す報知音は、その暖房能力が設定された時に出力するものである。
【０００９】
また、請求項３では、前記制御部は、一番低い暖房能力を表す報知音を低音とし、それから暖房能力が高くなる毎に暖房能力を表す報知音を高音にしていくものである。
【００１０】
また、請求項４では、前記制御部は、一番低い暖房能力を表す報知音を音階の一番低い音とし、それから暖房能力が高くなる毎に暖房能力を表す報知音を音階を一段ずつ高くしていくものである。
【００１１】
また、請求項５では、前記制御部は、暖房能力を表す報知音を短音とし、暖房運転のオフを表す報知音を一番低い音の長音としたものである。
【００１２】
また、請求項６では、寒色と中間色と暖色を有する表示部を備え、前記制御部は、低い暖房能力から高い暖房能力になるのに対応して低い暖房能力では表示部に寒色のみ表示させ、中間の暖房能力では表示部に寒色と中間色を表示させ、高い暖房能力では表示部に寒色と中間色と暖色を表示させるものである。
【発明の効果】
【００１３】
この発明の請求項１によれば、調節つまみを操作して次の暖房能力に設定された時、調節つまみを操作する前の暖房能力を表す報知音を出力し、その所定時間後に次の暖房能力を表す報知音を出力するので、調節つまみを操作する前の暖房能力から次の暖房能力まで暖房能力が上がったことを２つの音を聞くことで容易に認識することが出来、又最初の音が出力された後、その所定時間経過後に次の音が出力されることにより２つの音を１つの音に聞き間違えるのを防止して２つの音として認識できるものである。
【００１４】
また、請求項２によれば、調節つまみを操作して複数段階暖房能力を変更した時、調節つまみを操作する前の暖房能力を表す報知音を出力し、その所定時間後に次の暖房能力を表す報知音を出力し、それ以降の暖房能力を表す報知音は、その暖房能力が設定された時に出力するので、調節つまみを操作する前の暖房能力から次の暖房能力まで暖房能力が上がったことを２つの音を聞くことで容易に認識することが出来、又２つめの音が出力された後は、暖房能力が変更される毎にその暖房能力の音が出力されるので、使用者が暖房能力をどれだけ変更したかを暖房能力が変更される毎に報知される音により認識することができるものである。
【００１５】
また、請求項３によれば、一番低い暖房能力を表す報知音を低音とし、それから暖房能力が高くなる毎に暖房能力を表す報知音を高音にしていくので、調節つまみを操作する前の温度レベルから次の温度レベルまでレベルが上がったことを音の高さの異なる音を聞くことで容易に認識することができるものである。
【００１６】
また、請求項４によれば、一番低い暖房能力を表す報知音を音階の一番低い音とし、それから暖房能力が高くなる毎に暖房能力を表す報知音を音階を一段ずつ高くしていくので、調節つまみを操作する前の温度レベルから次の温度レベルまでレベルが上がったことを音階の異なる音を聞くことで容易に認識することができるものである。
【００１７】
また、請求項５によれば、暖房能力を表す報知音を短音とし、暖房運転のオフを表す報知音を一番低い音の長音としたので、暖房運転のオフ状態か暖房運転中かを音の長さにより容易に認識することができるものである。
【００１８】
また、請求項６によれば、低い暖房能力では表示部に寒色のみ表示させ、中間の暖房能力では表示部に寒色と中間色を表示させ、高い暖房能力では表示部に寒色と中間色と暖色を表示させるので、報知部からの報知音と表示部での色と表示面積とで暖房能力の変更がわかり、容易に今の暖房能力及び暖房能力の変更を認識することができるものである。
【図面の簡単な説明】
【００１９】
【図１】この発明の一実施形態を示す電気ストーブの正面図
【図２】同側面図
【図３】同平面図
【図４】同制御ブロック図
【図５】同調節つまみの操作による表示部及び報知部動作のフローチャート図
【発明を実施するための形態】
【００２０】
次に、この発明を適用した電気ストーブの一実施形態を図面に基づいて説明する。
１はステンレスヒーターに遠赤セラミックの塗料を塗布して、遠赤外線を放射するヒーターで構成された発熱体２を２本備えた電気ストーブである。
また、３は電気ストーブ１の下部を構成するベース部、４はベース部３に設置され発熱体２を内部の所定位置に備えた本体ケース部５を支持する支持体である。
【００２１】
前記本体ケース部５には、２本の発熱体２の背面を覆い放射される熱を前方に反射する反射板６と、発熱体２の前方を覆って人の指が入り込むことを阻止することで発熱体２に接触して火傷するのを防止するガード体７とが備えられている。
【００２２】
このガード体７は、左右に１本ずつ備えた縦ロット８と、該縦ロット８の間にあり人の指が侵入できない間隔を保った複数の横ロット９とで形成されている。  また、１０は横ロット９の最上端及び最下端に設置され該横ロット９と同一形状、同一寸法で、中央部分を内側に折り曲げて指の侵入を阻止する規制ロットである。
【００２３】
１１は本体ケース部５の下部に備えられ周囲の温度変化から人体を検知する焦電型の人体センサ、１２は設定温度の強弱を５段階３色のＬＥＤランプで表示する表示部、１３は一定間隔毎に発熱体２へ通電することで電力をセーブしたゆらぎ運転が実施されたら点灯するゆらぎランプ、１４は人体センサ１１により電気ストーブ１の周囲に人が存在しないと判断したら発熱体２の出力を低下させる省エネ運転が実施されたら点灯する省エネランプである。
【００２４】
前記表示部１２は、複数のＬＥＤが横に一直線上に配置されて構成され、中央に弱能力から表示する寒色の第１の色である緑色のＬＥＤが複数設けられ、その緑色のＬＥＤの両端には中と強の間の中強能力から表示する中間色の第２の色である橙色のＬＥＤが設けられ、更にその橙色のＬＥＤの両端には強能力から表示する暖色の第３の色である赤色のＬＥＤが設けられ、寒色の緑色のＬＥＤは暖房能力の１段階から１０段階まで点灯し、中間色の橙色のＬＥＤは暖房能力の７段階から８段階まで点灯し、暖色の赤色のＬＥＤは暖房能力の９段階から１０段階まで点灯するもので、暖房能力１０段階の強運転の時は全部のＬＥＤが点灯している状態となるものである。
【００２５】
１５は本体ケース部５の上面に設置された操作部であり、つまみを回転させることで電源のＯＮ／ＯＦＦ操作及び３９０Ｗから１１００Ｗの範囲で発熱体２の出力を１０段階の温度レベルから調節可能な調節つまみ１６と、本体ケース部５を左右に往復させる首振り運転の開始と停止を指示する首振りスイッチ１７と、３０分、１時間、２時間、３時間から選択した時間後に電源をＯＦＦにする設定が可能な切りタイマースイッチ１８と、一定間隔毎に発熱体２へ通電して電力のセーブが可能なゆらぎ運転の開始と停止を指示するゆらぎスイッチ１９と、人体センサ１１による人体検知を開始させ省エネ運転に移行する省エネ運転制御の開始を指示する人体スイッチ２０とが設けられている。
【００２６】
２１は支持体４の上端にあり本体ケース部５の中心と連結されている首振りモータであり、首振りスイッチ１７をＯＮ操作することで正面方向から約７０度まで左右に角度を可変させることができる。
また、２２は首振りモータ２１の上部にあり電気ストーブ１を持ち上げて移動することを可能とする取手である。
【００２７】
２３は操作部１５の下部に設置されマイコン等で構成された制御部であり、操作部１５で操作された各種スイッチにより電源のＯＮ／ＯＦＦや温度調節、首振り運転等の通常の暖房運転を制御する通常運転制御手段２４と、人体スイッチ２０がＯＮ操作された後に省エネ運転に移行する制御をおこなう省エネ運転制御手段２５と、省エネ運転に移行した時に報知音を発生させると共に、調節つまみ１６を回転させることで電源をＯＮ／ＯＦＦ操作した時や発熱体２の出力を変更した時に報知音を発生させる報知部２６とを備えている。
【００２８】
前記通常運転制御手段２４は、調節つまみ１６が操作されて電源ＯＮとなったら、調節つまみ１６で調節した温度レベルとなるよう発熱体２の出力を調節し、表示部１２に調節した温度レベルの出力に応じた色彩と点灯位置のＬＥＤを発光させ、調節つまみ１６が電源ＯＦＦの位置に調節されたら、発熱体２への通電を停止して通常の暖房運転を終了する。
また、電源ＯＮの状態で首振りスイッチ１７がＯＮ操作されたら、首振りモータ２１を駆動させて本体ケース部５の首振り運転を開始させ、首振りスイッチ１７がＯＦＦ操作されたら首振り運転を停止させる。
【００２９】
また、タイマースイッチ１８により電源をＯＦＦにする時間が選択されたら、選択された時間経過後に発熱体２への通電を停止させる。
また、ゆらぎスイッチ１９がＯＮ操作されたら、ゆらぎランプ１３を点灯させて発熱体２への電力供給を一定間隔毎に停止することで出力を抑えたゆらぎ運転をおこない、ゆらぎスイッチ１９がＯＦＦ操作されたら、ゆらぎランプ１３を消灯して調節つまみ１６で設定された温度レベルとなるよう発熱体２の出力を調節する。
【００３０】
次に、調節つまみ１６を回転させて電源をＯＮ／ＯＦＦ操作した時や発熱体２の出力を変更した時について図５で示すフローチャートに基づいて説明する。
まず、制御部２３は所定時間毎、本実施例では１０ｍｓ毎に調節つまみ１６の位置を検知しており、調節つまみ１６を操作して電源ＯＦＦ状態の位置から一番暖房能力の低い温度レベル１に回転されると（Ｓ１）、制御部２３は発熱体２に通電を開始して温度レベル１で暖房運転を開始し（Ｓ２）、全消灯状態だった表示部１２を温度レベル１での表示である表示部１２中央に設けられた複数の緑色のＬＥＤの中央のＬＥＤを点灯する。
【００３１】
そして制御部２３は、調節つまみ１６が操作される前に位置していた電源ＯＦＦ状態を表す低音の長音を報知音として出力し（Ｓ４）、その所定時間経過後（Ｓ５）、本実施例では０．１ｓ後に調節つまみ１６が超えた温度レベル１を表す報知音で、電源ＯＦＦ状態を表す報知音よりも高音の短音を報知音として出力する。（Ｓ６）
【００３２】
そして次に制御部２３は、調節つまみ１６が更に一段高い温度レベル、この場合温度レベル２に操作されたかを検知し（Ｓ７）、調節つまみ１６が更に一段高い温度レベルに操作された時、一段高い温度レベル、この場合温度レベル２での表示である表示部１２中央に設けられた複数の緑色のＬＥＤの中央のＬＥＤとその左右の緑色のＬＥＤを点灯すると共に（Ｓ８）、一段高い温度レベル、この場合温度レベル２を表す報知音、本実施例では温度レベル１を表す報知音よりも高音の短音を報知音として出力する。（Ｓ９）
【００３３】
そして次に制御部２３は、調節つまみ１６の操作が終了して調節つまみ１６が停止したかを検知し（Ｓ１０）、調節つまみ１６が停止していないのを検知したら（Ｓ７）に戻り、調節つまみ１６が停止しているのを検知したら、現在の温度レベルで暖房運転を継続する。（Ｓ１１）
【００３４】
そして制御部２３は、再び調節つまみ１６が操作されて調節つまみ１６が更に一段高い温度レベルに操作されたかを検知し（Ｓ１２）、調節つまみ１６が更に一段高い温度レベルに操作されたのを検知した時、一段高い温度レベルでの表示である表示部１２のＬＥＤを点灯すると共に（Ｓ１３）、操作前の温度レベルを表す報知音を出力し（Ｓ１４）、その所定時間経過後（Ｓ１５）、一段高い温度レベルを表す報知音を出力して（Ｓ１６）、（Ｓ７）に戻るものである。
【００３５】
又（Ｓ１２）で調節つまみ１６が更に一段高い温度レベルに操作されていない時、次に再び調節つまみ１６が操作されて調節つまみ１６が一段低い温度レベルに操作されたかを検知し（Ｓ１７）、調節つまみ１６が一段低い温度レベルに操作されていない時は（Ｓ１２）に戻り、調節つまみ１６が一段低い温度レベルに操作されたのを検知した時、一段低い温度レベルでの表示である表示部１２のＬＥＤを点灯すると共に（Ｓ１８）、操作前の温度レベルを表す報知音を出力し（Ｓ１９）、その所定時間経過後（Ｓ２０）、一段低い温度レベルを表す報知音を出力して（Ｓ１６）、（Ｓ７）に戻るものである。
【００３６】
又（Ｓ７）で調節つまみ１６が更に一段高い温度レベルに操作されていない時、次に再び調節つまみ１６が操作されて調節つまみ１６が一段低い温度レベルに操作されたかを検知し（Ｓ２２）、調節つまみ１６が一段低い温度レベルに操作されたのを検知した時、一段低い温度レベルでの表示である表示部１２のＬＥＤを点灯すると共に（Ｓ２３）、操作前の温度レベルを表す報知音を出力して（Ｓ２４）から（Ｓ１０）に進み、（Ｓ２２）で調節つまみ１６が一段低い温度レベルに操作されていない時は、次に調節つまみ１６が電源ＯＦＦ状態の位置になったかを検知し（Ｓ２５）、電源ＯＦＦ状態の位置になっていない時は（Ｓ１０）に進み、電源ＯＦＦ状態の位置になっているのを検知した時、制御部２３は発熱体２に通電を停止して暖房運転を終了し（Ｓ２６）、そして表示部１２を全消灯状態にすると共に（Ｓ２７）、電源ＯＦＦ状態を表す低音の長音を報知音として出力した後（Ｓ２８）、（Ｓ１）に戻るものである。
【００３７】
尚、本実施例では温度レベル１では 表示部１２中央に設けられた複数の緑色のＬＥＤの中央のＬＥＤを点灯し、温度レベル２及び３では、表示部１２中央に設けられた複数の緑色のＬＥＤの中央のＬＥＤとその左右の緑色のＬＥＤを点灯し、温度レベル４及び５では、表示部１２中央に設けられた複数の緑色のＬＥＤの中央のＬＥＤとその左右の緑色のＬＥＤと更にその左右の緑色のＬＥＤが点灯して緑色の表示が最大となるものである。 
【００３８】
更に温度レベル６〜８では、温度レベル４及び５での緑色の最大表示の他に、緑色の最大表示の両端の緑色のＬＥＤの両方の外側にある橙色のＬＥＤも点灯し、更に温度レベル９〜１０では、温度レベル４及び５での緑色の最大表示の他に、緑色の最大表示の両端の緑色のＬＥＤの外側にある橙色のＬＥＤと更にその橙色のＬＥＤの両方の外側にある赤色のＬＥＤも点灯するもので、点灯する面積と色によって暖房の強中弱がわかるものである。
【００３９】
以上のように、電源ＯＦＦ状態から調節つまみ１６が操作されて温度レベル１に達するとまず電源ＯＦＦ状態を表す報知音を出力し、その所定時間経過後に温度レベル１を表す報知音を出力するので、電源ＯＦＦ状態から温度レベル１で暖房運転が開始されたことを音の高さと長さの異なる２つの音を聞くことで容易に認識することが出来、又最初の音が出力された後、その所定時間経過後に次の音が出力されることにより２つの音を１つの音に聞き間違えるのを防止して２つの異なる音として認識できるものである。
【００４０】
又、電源ＯＦＦ状態から調節つまみ１６が操作されて高い温度レベルまで操作された場合は、電源ＯＦＦ状態を表す報知音を出力し、その所定時間経過後に温度レベル１を表す報知音を出力し、その後温度レベル１よりも高い温度レベルまで操作されると温度レベルが一段高くなる度に前の報知音より高い音を出力するので、どこまで温度レベルを高くしたか音の変化により認識することが出来るものである。
【００４１】
又、電源ＯＦＦ状態から調節つまみ１６を操作してある温度レベルで調節つまみ１６が停止してその温度レベルで暖房運転を行っている状態から、再度調節つまみ１６を操作してより高い温度レベルまで操作された場合も、まず調節つまみ１６を操作する前の温度レベルを表す報知音を出力し、その所定時間経過後に次の高い温度レベルを表す報知音を出力するので、調節つまみ１６を操作する前の温度レベルから次の温度レベルまでレベルが上がったことを音の高さの異なる２つの音を聞くことで容易に認識することが出来、又最初の音が出力された後、その所定時間経過後に次の音が出力されることにより２つの音を１つの音に聞き間違えるのを防止して２つの異なる音として認識できるものである。
【００４２】
又、ある温度レベルから調節つまみ１６を操作してある温度レベルまでレベルを下げた場合も、及び温度レベル１の状態から調節つまみ１６を操作して電源ＯＦＦ状態になった場合、調節つまみ１６を操作する前の温度レベルから次の温度レベルまでレベルが下がったことを音の高さの異なる２つの音を聞くことで容易に認識することが出来、又最初の音が出力された後、その所定時間経過後に次の音が出力されることにより２つの音を１つの音に聞き間違えるのを防止して２つの異なる音として認識できるものである。
【００４３】
又、温度レベル１の状態から調節つまみ１６を操作して電源ＯＦＦ状態になった場合も、調節つまみ１６を操作する前の温度レベル１から電源ＯＦＦ状態になって、暖房運転が終了したことを音の高さと長さの異なる２つの音を聞くことで容易に認識することが出来、又最初の音が出力された後、その所定時間経過後に次の音が出力されることにより２つの音を１つの音に聞き間違えるのを防止して２つの異なる音として認識できるものである。
【００４４】
更に調節つまみ１６の操作に対応して表示部１２でそれぞれの温度レベルに対応した色と表示面積で温度レベルを表示するので、耳で聞いても目で見ても現在の温度レベルが容易にわかるものである。
【符号の説明】
【００４５】
１  電気ストーブ
２  発熱体
１６  調節つまみ
２３  制御部
２６  報知部
【図１】
2013061101.tif 000003
【図２】
2013061101.tif 000004
【図３】
2013061101.tif 000005
【図４】
2013061101.tif 000006
【図５】
2013061101.tif 000007